(57)【要約】【課題】様々なサイズの記録媒体に対応しながら、装置の小型化を実現する記録装置を提供する。【解決手段】記録装置１は、原稿の画像を読み取る読取手段１０と、記録媒体に画像を記録する記録手段２０と、記録手段２０へ記録媒体を給送する給送手段３０と、給送手段３０により給送された記録媒体を記録手段２０へ案内する第１の搬送路５１と、画像記録手段２０で画像が記録された記録媒体の表裏を反転させて第１の搬送路５１へ案内する第２の搬送路５２と、記録媒体を第１および第２の搬送路５１，５２に沿って搬送する搬送手段６０と、を有している。搬送手段６０は、第１の搬送路５１において上流端の給送ローラ３４ａと下流端の主搬送ローラ６１ａとの間に設けられた中間ローラ対６３ａ，６３ｂを有している。【選択図】図２
2018019340.tif 000002
【特許請求の範囲】
【請求項１】
原稿の画像を読み取る読取手段と、
前記読取手段の下方に設けられ、記録媒体に画像を記録する記録手段と、
前記読取手段の後方に設けられ、前記記録手段へ記録媒体を給送する給送手段と、
前記給送手段により給送された前記記録媒体を前記記録手段へ案内するように、前記給送手段と前記記録手段とを接続する第１の搬送路と、
前記第１の搬送路の下方に形成された第２の搬送路であって、前記記録手段により画像が記録された前記記録媒体の表裏を反転させて前記第１の搬送路へ案内するように、前記記録手段と前記第１の搬送路とを接続する第２の搬送路と、
前記第１の搬送路および前記第２の搬送路に設けられ、前記記録媒体を前記第１の搬送路および前記第２の搬送路に沿って搬送する搬送手段と、を備え、
前記給送手段は、前記第１の搬送路の上流端に設けられた給送ローラを有し、
前記搬送手段は、前記第１の搬送路の下流端に設けられた主搬送ローラを有する記録装置であって、
前記搬送手段は、前記第１の搬送路において前記給送ローラと前記主搬送ローラとの間に設けられた中間ローラ対をさらに有することを特徴とする記録装置。
【請求項２】
前記中間ローラ対は、前記第１の搬送路と前記第２の搬送路との接続位置の付近に設けられていることを特徴とする請求項１に記載の記録装置。
【請求項３】
前記中間ローラ対は、前記第１の搬送路に沿って搬送される前記記録媒体の幅方向における略中央で該記録媒体と当接するように設けられていることを特徴とする請求項１または２に記載の記録装置。
【請求項４】
前記読取手段は装置本体の上面に設けられ、前記給送手段は前記記録媒体を供給するための前記上面に開口する給送口を有することを特徴とする請求項１から３のいずれか１項に記載の記録装置。
【請求項５】
前記記録手段の下方に設けられ、前記第２の搬送路を介して前記記録手段に前記記録媒体を給送する第２の給送手段を有することを特徴とする請求項１から４のいずれか１項に記載の記録装置。
【発明の詳細な説明】
【技術分野】
【０００１】
本発明は、記録装置に関する。
【背景技術】
【０００２】
従来から、ファクシミリ、複写機、複合機などを有する画像読取記録装置（記録装置）が知られている。当該記録装置は、原稿の画像を読み取るスキャナ部と、読み取った画像情報に基づいて記録媒体に画像を記録するプリンタ部とを備えている。このような記録装置では、多くの場合、装置の小型化・省スペース化を目的として、スキャナ部が装置本体の上面に設けられ、プリンタ部がスキャナ部の下方に設けられた構成が採用されている。
特許文献１には、装置本体の上面においてスキャナ部よりも後方で開口し、プリンタ部に記録媒体を供給するための給紙部を備えた記録装置が記載されている。給紙部とプリンタ部との間には、給紙部から供給された記録媒体をプリンタ部へ案内するための第１の搬送路が形成されている。第１の搬送路の上流端には、第１の搬送路に記録媒体を給送する給送ローラが設けられ、下流端には、給送された記録媒体をプリンタ部に供給する搬送ローラが設けられている。さらに、第１の搬送路の下方には、記録媒体の両面印刷（両面記録）用の搬送路であって、プリンタ部で画像が記録された記録媒体の裏表を反転させて第１の搬送路へ案内するための第２の搬送路が形成されている。第２の搬送路は、プリンタ部から後方に延び、装置本体の背面側で円弧を描いて第１の搬送路に接続されている。
【先行技術文献】
【特許文献】
【０００３】
【特許文献１】特開２００８−５３８１９号公報
【発明の概要】
【発明が解決しようとする課題】
【０００４】
特許文献１に記載の構成では、装置全体のサイズ、特に奥行きは、背面側については、両面記録用の第２の搬送路の円弧状部分の位置に依存し、前面側については、スキャナ部の位置に依存する。装置内部での第２の搬送路の位置は概ね固定されているため、装置の奥行きを小さくするためには、スキャナ部をできるだけ後方（背面側）に配置することが必要になる。その一方で、記録装置では、様々なサイズの記録媒体に対応することが求められており、そのためには、第１の搬送路における給送ローラから搬送ローラまでの距離を、対応可能な最小の記録媒体の長さ以下にする必要がある。すなわち、給紙部（給送ローラ）をより前方（前面側）に配置して、プリンタ部（搬送ローラ）との距離を短くする必要があるが、その場合、スキャナ部についても、給紙部との干渉を抑制するために、必然的により前方に配置する必要がある。したがって、特許文献１に記載の構成では、様々なサイズの記録媒体に対応しながら、装置全体のサイズ、特に奥行きを小さくするには限界がある。
そこで、本発明の目的は、様々なサイズの記録媒体に対応しながら、装置の小型化を実現する記録装置を提供することである。
【課題を解決するための手段】
【０００５】
上述した目的を達成するために、本発明の記録装置は、原稿の画像を読み取る読取手段と、前記読取手段の下方に設けられ、記録媒体に画像を記録する記録手段と、前記読取手段の後方に設けられ、前記記録手段へ記録媒体を給送する給送手段と、前記給送手段により給送された前記記録媒体を前記記録手段へ案内するように、前記給送手段と前記記録手段とを接続する第１の搬送路と、前記第１の搬送路の下方に形成された第２の搬送路であって、前記記録手段により画像が記録された前記記録媒体の表裏を反転させて前記第１の搬送路へ案内するように、前記記録手段と前記第１の搬送路とを接続する第２の搬送路と、前記第１の搬送路および前記第２の搬送路に設けられ、前記記録媒体を前記第１の搬送路および前記第２の搬送路に沿って搬送する搬送手段と、を備え、前記給送手段は、前記第１の搬送路の上流端に設けられた給送ローラを有し、前記搬送手段は、前記第１の搬送路の下流端に設けられた主搬送ローラを有する記録装置であって、前記搬送手段は、前記第１の搬送路において前記給送ローラと前記主搬送ローラとの間に設けられた中間ローラ対をさらに有することを特徴とする。
【発明の効果】
【０００６】
本発明によれば、様々なサイズの記録媒体に対応しながら、装置の小型化を実現する記録装置を提供することができる。
【図面の簡単な説明】
【０００７】
【図１】一実施形態に係る記録装置の概略斜視図である。
【図２】一実施形態に係る記録装置の内部構成を示す概略断面図である。
【図３】一実施形態に係る中間ローラ対を拡大して示す概略断面図である。
【図４】一実施形態に係る記録装置の給送動作を説明するための図である。
【発明を実施するための形態】
【０００８】
以下、図面を参照して、本発明の実施の形態について説明する。
【０００９】
まず、図１および図２を参照して、本発明の一実施形態に係る記録装置の構成について説明する。図１は、本実施形態の記録装置の概略斜視図である。図１（ａ）は、装置未使用の状態、図１（ｂ）は、原稿を読み取るために原稿カバーを開放した状態、図１（ｃ）は、記録媒体を給送するために多段式の給送トレイを引き出した状態をそれぞれ示している。図２は、本実施形態の記録装置の内部構成を示す概略断面図であり、記録媒体の搬送方向に沿った断面を示している。
【００１０】
図１および図２を参照すると、記録装置１は、スキャナ部１０と、プリンタ部２０と、第１の給送部３０と、第２の給送部４０と、搬送路５０と、搬送部６０と、排出部７０とを有している。
【００１１】
スキャナ部（読取手段）１０は、図１（ｂ）および図２に示すように、記録装置１本体の上面に設けられており、原稿カバー１１と、スキャナベース１２と、原稿ガラス１３とを有している。原稿カバー１１は、スキャナベース１２に回転可能に取り付けられ、原稿ガラス１３に原稿をセットするために、原稿ガラス１３に対して開閉可能に構成されている。スキャナ部１０は、イメージセンサ（図示せず）などの公知の手段により、原稿ガラス１３にセットされた原稿の画像を読み取ることができる。
【００１２】
プリンタ部（記録手段）２０は、図２に示すように、スキャナ部１０の下方に設けられており、記録ヘッド２１と、キャリッジ２２とを有している。キャリッジ２２は、記録ヘッド２１を搭載し、ガイドレール（図示せず）によって記録媒体の搬送方向と交差する方向に移動可能に支持されている。記録ヘッド２１は、キャリッジ２２が駆動モータ（図示せず）により記録媒体の搬送方向と交差する方向に往復移動する際に、画像信号に応じてインクを吐出して、記録媒体に画像を形成する。
【００１３】
第１の給送部（給送手段）３０は、プリンタ部２０へ記録媒体を給送するものであり、図２に示すように、スキャナ部１０の後方に設けられている。第１の給送部３０は、圧板３１と、可動サイドガイド３２と、第１の給送ローラ３３と、第２の給送ローラ３４ａと、分離ローラ３４ｂとを有し、これらが、給送ベース３５に取り付けられている。
記録媒体が積載される圧板３１は、給送ベース３５に固定された回転軸を中心として回転可能であり、圧板バネ（図示せず）により第１の給送ローラ３３に付勢されている。圧板３１は、カム機構（図示せず）によって、第１の給送ローラ３３に対して当接および離間できるように構成されている。圧板３１の第１の給送ローラ３３と対向する部位には、積載された複数の記録媒体の最下層近傍の記録媒体の重送を防止するために、摩擦係数の大きい材料からなる分離シートが設けられている。可動サイドガイド３２は、圧板３１に移動可能に取り付けられ、圧板３１に積載された記録媒体の幅方向の位置を規制する機能を有している。第１の給送ローラ３３は、圧板３１に積載された記録媒体を給送し、分離ローラ３４ｂは、第２の給送ローラ３４ａに対向して配置され、カム機構（図示せず）によって、第２の給送ローラ３４ａに対して当接および離間できるように構成されている。
【００１４】
また、第１の給送部３０は、図１（ｃ）および図２に示すように、給送口３６と、給送トレイ３７ａ〜３７ｃとを有している。多段式の給送トレイ３７ａ〜３７ｃは、未使用時には装置本体に収納され、使用時にはユーザによって引き出されるように、装置本体から引き出し可能に構成されている。引き出された給送トレイ３７ａ〜３７ｃに記録媒体が保持され、装置本体の上面に開口する給送口３６を通じて、記録媒体は装置内部へ給送される。なお、図１（ａ）に示すように、給送トレイ３７ａ〜３７ｃの収納時、給送トレイ３７ｃは、給送口３６を覆うカバーとしても機能する。
【００１５】
第２の給送部（第２の給送手段）４０は、プリンタ部２０の下方であって装置本体の底面に設けられており、カセット４１と、第３の給送ローラ４２とを有している。カセット４１は、記録媒体を収納し、装置本体に着脱可能に設けられている。また、カセット４１は、収納される記録媒体の長さに応じて伸縮するように、記録媒体の長さ方向に伸縮可能に構成されている。カセット４１には、記録媒体の幅方向の位置を規制するサイドガイド（図示せず）と、記録媒体の後端の位置を規制するエンドガイド（図示）とが設けられている。第３の給送ローラ４２は、カセット４１に積載されて収納された記録媒体に当接し、記録媒体を給送する機能を有している。第３の給送ローラ４２は、カセット４１内の記録媒体の枚数に応じて揺動可能に支持されている。
【００１６】
搬送路５０は、第１の給送部３０とプリンタ部２０とを接続する第１の搬送路５１と、第２の給送部４０を経由してプリンタ部２０と第１の搬送路５１とを接続する第２の搬送路５２とから構成されている。第１の搬送路５１は、第１の給送部３０から給送された記録媒体をプリンタ部２０へ案内するためのものであり、上流側搬送路５１ａと下流側搬送路５１ｂとから構成されている。第１の搬送路５１の下方に形成された第２の搬送路５２は、第２の給送部４０から給送された記録媒体を第１の搬送路５１へ案内するとともに、プリンタ部２０で画像が記録された記録媒体の表裏を反転させて第１の搬送路５１へ案内するためのものである。第２の搬送路５２は、プリンタ部２０から後方に延びる直線状の上流側搬送路５２ａと、装置本体の背面側で円弧を描くように第１の搬送路５１に接続する下流側搬送路５２ｂとから構成されている。
【００１７】
搬送部（搬送手段）６０は、第１および第２の搬送路５１，５２に設けられ、記録媒体を第１および第２の搬送路５１，５２に沿って搬送するものである。搬送部６０は、主搬送ローラ６１ａと、ピンチローラ６１ｂと、プラテン６２と、第１の搬送ローラ６３ａと、ピンチローラ６３ｂと、第２の搬送ローラ６４ａと、ピンチローラ６４ｂとを有している。
主搬送ローラ６１ａとピンチローラ６１ｂは、第１の搬送路５１の下流端であって第２の搬送路５２の上流端に設けられ、主搬送ローラ６１ａは、正逆転可能に構成されている。プラテン６２は、プリンタ部２０の記録ヘッド２１に対向する位置に配置され、主搬送ローラ６１ａとピンチローラ６１ｂとによってプリンタ部２０に搬送される記録媒体を支持する機能を有している。第１の搬送ローラ６３ａとピンチローラ６３ｂ（中間ローラ対）は、第１の搬送路５１の上流端に設けられた第２の給送ローラ３４ａと下流端に設けられた主搬送ローラ６１ａとの間の、第２の搬送路５２と第１の搬送路５１との接続位置の付近に設けられている。第２の搬送ローラ６４ａとピンチローラ６４ｂは、第２の搬送路５２において第２の給送部４０の下流側に設けられている。
【００１８】
排出部７０は、排出ローラ７１と、拍車７２と、排出トレイ７３とを有している。排出ローラ７１は、正逆転可能に構成され、拍車７２と共に記録媒体を挟持し、プリンタ部２０で画像が記録された記録媒体を排出ローラ７１に排出するか、両面記録を行う場合には装置内部へと搬送する。排出トレイ７３は、未使用時には装置本体に収納され、使用時にはユーザによって手前（前面側）に引き出されるように、装置本体から引き出し可能に構成されている。
【００１９】
ここで、図３を参照して、本発明の特徴的な構成である中間ローラ対（第１の搬送ローラ６３ａとピンチローラ６３ｂ）の詳細な構成について説明する。図３は、本実施形態の中間ローラ対を拡大して示す概略断面図である。
図３を参照すると、第１の搬送ローラ６３ａは、ピックアップホルダ６５の先端に取り付けられている。ピックアップホルダ６５は、フレーム（図示せず）に回転可能に支持された駆動シャフト６６を中心として回転可能に設けられ、これにより、ピンチローラ６３ｂに対して接近および離間することができる。また、ピックアップホルダ６５は、付勢部材（図示せず）によってピンチローラ６３ｂの方向に付勢されており、これにより、第１の搬送ローラ６３ａをピンチローラ６３ｂに対して所定の付勢力で押し付けることができる。第１の搬送ローラ６３ａは、駆動源（図示せず）から駆動シャフト６６およびアイドラギア（図示せず）を介して伝達される駆動力によって回転することができる。第１の搬送ローラ６３ａは、給送される記録媒体の幅方向における略中央で記録媒体と当接するよう設けられている。これにより、様々な幅の記録媒体を搬送することができるだけでなく、プリンタ部２０による記録動作の前に記録媒体の先端を主搬送ローラ６１ａに突き当てて当該記録媒体の斜行を矯正する斜行矯正動作において、斜行矯正の精度を高めることができる。すなわち、上記斜行矯正動作において、記録媒体は、第１の搬送ローラ６３ａにより幅方向における中央部で挟持されることで、当該中央部を中心に幅方向に回転可能になり、その結果、記録媒体の先端を揃えやすくなり、斜行矯正の精度を高めることができる。一方、ピンチローラ６３ｂは、ピンチローラホルダ６７に取り付けられ、フレーム（図示せず）に固定されている。なお、中間ローラ対は、上述した揺動式の構成に限定されるものではなく、固定式の構成であってもよい。
【００２０】
次に、図４を参照して、本実施形態の記録装置における給送動作について説明する。図４（ａ）は、第１の給送部からプリンタ部へ給送される記録媒体の流れを、図４（ｂ）は、第２の給送部からプリンタ部へ給送される記録媒体の流れを、図４（ｃ）は、両面記録時の記録媒体の流れをそれぞれ矢印で示している。
【００２１】
図４（ａ）に示す第１の給送部３０による給送動作では、駆動モータ（図示せず）によって圧板３１が第１の給送ローラ３３に当接し、圧板３１に積載された記録媒体の給送が開始される。このとき、記録媒体は、第２の給送ローラ３４ａと分離ローラ３４ｂからなるニップ部によって、最上層の１枚のみが分離されて給送される。給送された記録媒体は、上流側搬送路５１ａに沿って搬送され、第１の搬送ローラ６３ａとピンチローラ６３ｂに挟持される。記録媒体が第１の搬送ローラ６３ａとピンチローラ６３ｂに挟持されると、圧板３１はカム機構（図示せず）によって第１の給送ローラ３３に対して離間し、分離ローラ３４ｂはカム機構（図示せず）によって第２の給送ローラ３４ａに対して離間する。第１の搬送ローラ６３ａとピンチローラ６３ｂに挟持された記録媒体は、下流側搬送路５１ｂに沿って搬送され、主搬送ローラ６１ａとピンチローラ６１ｂからなるニップ部に到達する。
こうして、主搬送ローラ６１ａとピンチローラ６１ｂからなるニップ部まで搬送された記録媒体は、正転する主搬送ローラ６１ａとピンチローラ６１ｂにより、記録ヘッド２１に向けて高精度に搬送される。すなわち、記録媒体は、プラテン６２に支持されることで記録ヘッド２１との距離を適正に保ちながら搬送され、このような記録媒体に対して、記録ヘッド２１による記録動作が行われる。画像が記録された記録媒体は、正転する排出ローラ７１と拍車７２に挟持されて搬送され、排出トレイ７３に排出される。
【００２２】
図４（ｂ）に示す第２の給送部４０による給送動作では、駆動モータ（図示せず）によって第３の給送ローラ４２が駆動され、カセット４１に収納された記録媒体の給送が開始される。このとき、記録媒体は、分離片（図示せず）によって、最上層の１枚のみが分離されて給送される。給送された記録媒体は、第２の搬送ローラ６４ａとピンチローラ６４ｂに挟持されて円弧状の下流側搬送路５２ｂに沿って搬送された後、第１の搬送ローラ６３ａとピンチローラ６３ｂに挟持される。第１の搬送ローラ６３ａとピンチローラ６３ｂに挟持された記録媒体は、下流側搬送路５１ｂに沿って搬送され、主搬送ローラ６１ａとピンチローラ６１ｂからなるニップ部に到達する。
こうして、主搬送ローラ６１ａとピンチローラ６１ｂからなるニップ部まで搬送された記録媒体は、正転する主搬送ローラ６１ａとピンチローラ６１ｂにより、記録ヘッド２１に向けて高精度に搬送される。すなわち、記録媒体は、プラテン６２に支持されることで記録ヘッド２１との距離を適正に保ちながら搬送され、このような記録媒体に対して、記録ヘッド２１による記録動作が行われる。画像が記録された記録媒体は、正転する排出ローラ７１と拍車７２に挟持されて搬送され、排出トレイ７３に排出される。
【００２３】
図４（ｃ）に示す両面記録時の給送動作では、記録媒体の表面に画像が記録された後、排出ローラ７１および主搬送ローラ６１ａが逆転することで、記録媒体の反転搬送が開始される。このとき、記録媒体は、排出ローラ７１および拍車７２と主搬送ローラ６１ａおよびピンチローラ６１ｂとにより装置内部に再度引き込まれ、上流側搬送路５２ａに沿って搬送され、第２の搬送ローラ６４ａとピンチローラ６４ｂからなるニップ部に到達する。そして、記録媒体は、第２の搬送ローラ６４ａとピンチローラ６４ｂに挟持されて円弧状の下流側搬送路５２ｂに沿って搬送された後、第１の搬送ローラ６３ａとピンチローラ６３ｂに挟持される。第１の搬送ローラ６３ａとピンチローラ６３ｂに挟持された記録媒体は、下流側搬送路５１ｂに沿って搬送され、主搬送ローラ６１ａとピンチローラ６１ｂからなるニップ部に到達する。
こうして、主搬送ローラ６１ａとピンチローラ６１ｂからなるニップ部まで搬送された記録媒体は、正転する主搬送ローラ６１ａとピンチローラ６１ｂにより、記録ヘッド２１に向けて高精度に搬送される。すなわち、記録媒体は、プラテン６２に支持されることで記録ヘッド２１との距離を適正に保ちながら搬送され、このような記録媒体に対して、記録ヘッド２１による記録動作が行われる。裏面に画像が記録された記録媒体は、排出ローラ７１と拍車７２に挟持されて搬送され、排出トレイ７３に排出される。
【００２４】
以上のように、本実施形態では、第１の搬送ローラ６３ａとピンチローラ６３ｂ（中間ローラ対）が、第１の搬送路５１の上流端に設けられた第２の給送ローラ３４ａと下流端に設けられた主搬送ローラ６１ａとの間に設けられている。これにより、第１の搬送路５１における第２の給送ローラ３４ａから主搬送ローラ６１ａまでの距離を、対応可能な最小の記録媒体（例えば、名刺サイズの記録媒体）の長さ以下にする必要がない。その結果、プリンタ部２０に対して第１の給送部３０をより後方（背面側）に配置することができ、それにより、スキャナ部１０もより後方に配置することができる。こうして、装置全体のサイズ、特に奥行きを小さくすることができ、装置の小型化を実現することができる。
なお、第１の搬送路における第２の給送ローラ３４ａから第１の搬送ローラ６３ａまでの距離と、第１の搬送ローラ６３ａから主搬送ローラ６１ａまでの距離は共に、対応可能な最小の記録媒体の長さ以下であることが好ましい。
【００２５】
上述した実施形態では、第１の給送部３０において記録媒体を１枚だけ分離して給送するために、圧板３１と給送ローラ３３，３４ａとからなる機構が用いられているが、例えば、スイングアーム振り子と分離片とからなる機構が用いられていてもよい。
【符号の説明】
【００２６】
１  記録装置
５１  第１の搬送路
３４ａ  第２の給送ローラ
６１ａ  主搬送ローラ
６３ａ  第１の搬送ローラ
６３ｂ  ピンチローラ
【図１】
2018019340.tif 000003
【図２】
2018019340.tif 000004
【図３】
2018019340.tif 000005
【図４】
2018019340.tif 000006